(57)【要約】      （修正有）【課題】脱着動作が簡単で、予期せぬ反りや歪みが防止され、かつ、視界を妨げない簡易シェードを提供する。【解決手段】簡易シェードは、光減殺効果を有する透明な平面状のフィルムと、あらゆる可能な方法を用いてフィルムとその取付面との間に所定の間隙を形成する折曲部から成る。折曲部は、一又は複数の予め刻設した線条痕を折曲げ、又は，熱処理により形成される。折曲部が幅方向に対称な二辺に形成されている構造と、長手方向の一辺に二箇所形成されている構造の両方が提案される。吸盤を取付けるために、フィルム上に少なくとも一の吸盤を受容する貫通孔が設けられる。吸盤は一又は複数のステムを有する吸盤本体と、対称の溝を有する柱体と、延長された把持部とを含む。【選択図】図１
0003154773.tif 000002
【実用新案登録請求の範囲】
【請求項１】
光減殺効果を有する透明な平面状のフィルムであって，前記フィルムとその取付面の間に所定の間隙を形成する少なくとも一の折曲部を有すると共に，前記フィルム面に一の吸盤を受容する貫通孔を有し，前記吸盤を前記フィルムの前記貫通孔に挿通して成ることを特徴とする簡易シェード。
【請求項２】
前記折曲部が，幅方向に対称な二辺に形成されている請求項１記載の簡易シェード。
【請求項３】
前記折曲部が，長手方向の一辺に二箇所形成されている請求項１記載の簡易シェード。
【請求項４】
前記折曲部は，予め刻設した線条痕で成る請求項１記載の簡易シェード。
【請求項５】
一又は複数の前記折曲部は，直線状であり，一又は複数の前記予め刻設した線条痕を折曲げて成る請求項１記載の簡易シェード。
【請求項６】
一又は複数の前記折曲部は，熱処理により曲線状に形成されている請求項１記載の簡易シェード。
【請求項７】
前記吸盤は，一又は複数のステムを有する吸盤本体と，把持部を形成するために上方に延長された対称の溝を備える柱体とを含む請求項１記載の簡易シェード。
【請求項８】
前記平面状のフィルムは，前記一の吸盤を受容する貫通孔が少なくとも一個形成されて成る請求項１記載の簡易シェード。
【考案の詳細な説明】
【技術分野】
【０００１】
本考案は，簡易シェードに関し，特に，あらゆる可能な方法を用いてフィルムとその取付面との間に間隙を形成した簡易シェードに関する。また，この簡易シェードには，吸盤と，該吸盤を受容する貫通孔がそれぞれ一つ設けられる。
【背景技術】
【０００２】
充分な日除け効果を達成しようと意図する既知の日除け製品（サンシェード）の多くは，自動車のフロントウインドウなどの取付面にフィルムを着脱するため，フィルム表面に多数の吸盤を取付けているため，或いはフィルムの寸法が大きすぎるため，取付け位置を変更することが困難である。
【０００３】
しかし，吸盤を一個のみとすると，平面状のシェードは，太陽光の熱により，予期せぬ反りや歪みが生じ，遮光効果が得られなくなるか，着脱が困難になるという問題に直面する。特に，あらゆる方向から入射光が差し込む中で，走行中の車中においてサンシェードを位置の変更等のため着脱するのは非常に危険かつ困難な作業となる。
【考案の概要】
【考案が解決しようとする課題】
【０００４】
上述した既知のサンシェードにおける，取付け位置を変えるのが困難であり，透明性が不十分で，かつ，予期せぬ反りや歪みが生じて取付けにくい等の問題点を解消するために，あらゆる可能な方法を用いてフィルムとその取付面との間に形成される間隙を備える，光減殺効果を有する透明な簡易シェードを提供することである。
【課題を解決するための手段】
【０００５】
本考案は，既知のサンシェードにおける，着脱して任意の取付け位置に変更するのが困難であり，透明性が不十分で，かつ，予期せぬ反りや歪みが生じて遮光効果を阻害する等の問題点を解消するために開発されたもので，本考案に係る簡易シェードは，略平面状のフィルムと，吸盤の柱体を受容するのに有用な柱体受容部を画定する唯一の貫通孔壁とを含み，詳しくは，光減殺効果を有する透明な平面状のフィルムであって，前記フィルムとその取付面の間に所定の間隙を形成する少なくとも一の折曲部を有すると共に，前記フィルム面に一の吸盤を受容する貫通孔を有し，前記吸盤を前記フィルムの前記貫通孔に挿通して成ることを特徴とする（請求項１）。
【０００６】
更に，前記折曲部が，幅方向に対称な二辺に形成された構成とすることができる（請求項２）。
【０００７】
また，前記折曲部が，長手方向の一辺に二箇所形成された構成とすることもできる（請求項３）。
【０００８】
さらに，前記折曲部は，予め刻設した直線状の線条痕で構成することもできる（請求項４）。実施形態としては, 予め刻設した線条痕を簡単に折曲げて，シェードとその取付面との間の間隙を形成する折曲部と支持縁とを形成することができる。
【０００９】
また，一又は複数の前記折曲部は，直線状であり，前記一又は複数の前記予め刻設した線条痕を折曲げて成る構成とすることもできる（請求項５）。
【００１０】
さらに，一又は複数の前記折曲部は，熱処理により曲線状に形成されても良い（請求項６）。
【００１１】
また，熱処理によって前記フィルムの端縁を円弧状に成形し，曲線形状を形成するためにフィルムの端縁にワイヤを埋設することもできる。
【００１２】
前記吸盤は，一又は複数のステムを有する吸盤本体と，把持部を形成するために上方に延長された対称の溝を備える柱体とを含む構成とすることができる（請求項７）。本考案の簡易シェードを使用する際には，前記吸盤が取付面に取付けられると，前記シェードは吸盤の柱体により支持される。
【００１３】
なお，前記平面状のフィルムは，前記一の吸盤を受容する貫通孔が少なくとも一個形成されて成る構成とすることができる（請求項８）。
【考案の効果】
【００１４】
取付面（ガラスの表面）に取付け可能な吸盤が一個のために，取付位置の変更などでの脱着動作が簡単になる。また，予め刻設した線条痕は，使用者がシェードを簡単に折曲げて折曲部と支持縁を形成して準備し，シェードと取付面のガラスとの間に間隙を形成する。上記構成は，かような簡便に使用できる設計としての機能を果たす。前記支持縁は，平面状のフィルムが予期せずに反り返って歪むことを防止する。シェードとガラスとの間の間隙は空気が循環する空間を形成し，入射光の一部を反射すると共に，発生する熱はシェードに蓄積されずに前記間隙から放散される。この構造により入射光と熱の双方を減少することが可能となる。また，光減殺効果と透明な性質とを有する透明なフィルム材料で構成されており，視界を妨げない。使用者は平面状のフィルムを介して明瞭に前方を視認することができる。
【図面の簡単な説明】
【００１５】
【図１】吸盤が挿入された本考案の簡易シェードの斜視図。
【図２】本考案の簡易シェードと，取外された吸盤の斜視図。
【図３】ガラスに取付けられていない吸盤と組み合わせた本考案の簡易シェードの側面図。
【図４】ガラスに取付けた吸盤と組み合わせた本考案の簡易シェードの側面図。
【図５】本考案の簡易シェードの他の形態の斜視図。
【図６】本考案の簡易シェードの収納時の斜視図。
【図７】ガラスに取付けた吸盤と組み合わせた本考案の簡易シェードの使用例の側面図。
【図８】ガラスに取付けた吸盤と組み合わせた本考案の簡易シェードの使用例の側面図。
【考案を実施するための形態】
【００１６】
本考案は，図１及び図２に示す簡易シェードに関する。本考案の実施形態を参照すると，本考案はシェード１０を含む日除けのための考案であり，該シェード１０は，略平面状のフィルム１１と，一又は複数の予め刻設した線条痕１３と，一又は複数の折曲部１４と，一又は複数の支持縁１５と，吸盤２０と，該吸盤２０を受容する貫通孔部１２とを有する。このシェードは，日光を遮断することが可能で，かつ，適当な吸盤と組み合わせて確実に取付けられ，簡単に位置を変えることができる任意の寸法及び形状であり得る。そして，予め刻設した線条痕を簡単に折曲げて，シェードとその取付面との間の間隙を形成する折曲部と支持縁とを形成することができる。
【００１７】
使用した吸盤２０は，吸盤本体２１と，柱体２２と，把持部２４と，ステム２５と，溝２３とを含む。この吸盤２０は，その柱体２２及び把持部２４を用いて，吸盤２０を受容する貫通孔部１２を通してシェード１０に挿入し，平面状のフィルム１１を支持するよう軟質の材料で製造される。かようにして，シェード１０に設けた貫通孔部１２の中に吸盤２０を配置できる。
【００１８】
使用する吸盤２０は，その吸盤本体２１によって取付面（図示せず）に取付けられてもよい。吸盤本体２１は吸引力により取付面に取付けることが可能であれば，いかなる寸法や形状のものでもよい。
【００１９】
図３と図４に示す本考案の形態を参照すると，折曲部１４の高さは，吸盤本体２１と柱体２２の高さの総和よりも高い。吸盤２０が吸着する際に，吸盤本体２１の内部の空気が吐出される。負圧は吸盤２０をガラスの表面３０に吸着させるための強い力をもたらし，それにより本考案のシェード１０が堅固に取付けられる。吸盤２０がガラスの表面３０に取付けられる際に，柱体２２は，シェード１０の平面状のフィルム１１上にガラスの表面方向への牽引力を生じさせる。したがって，支持縁１５はガラスの表面３０からの垂直力を受ける。この垂直力によって支持縁１５がガラスの表面３０に，しっかりと固定される。この接触領域が単に支持縁１５により限定されているので，吸収された熱はこの小さい接触領域により減少し，それにより，シェード１０が熱により歪むことが防止される。さらに，空気が循環する自由空間を調整するだけでなく，入射光の一部を反射する間隙が平面状のフィルム１１とガラスの表面３０との間に形成される。したがって，発生する熱はシェード１０に蓄積されずに周囲に放散され得る。また，熱処理によって前記フィルムの端縁を円弧状に成形し，曲線形状を形成するためにフィルムの端縁にワイヤを埋設することもできる。
【００２０】
別の実施形態の簡易シェード構造を図５に示す。図５において，２つの予め刻設した線条痕１３は，２つの折曲部１４で折曲げられる状態となる。予め刻設した線条痕１３に沿った２つの折り目は，２つの折曲部１４と平面状のフィルム１１との間に形成される。実際に使用する際は，Ｒ字形に折曲げられた円弧状を成す。
【００２１】
図６は本考案の簡易シェードの吸盤本体２１が収納された図である。図面において，一の開口部４１を有する容器４０を示す。この容器４０の上面に通路４２が設けられ，開口部４１まで延長する。収納する際は，簡易シェード１０は，シェードの可撓性を利用して筒状に丸められ，通路４２に吸盤２０を沿わせながら容器４０の中に押し込められる。反対に，吸盤２０を掴んで，通路４２に沿って簡易シェード１０を引き出すと，簡便に使用できる。
【００２２】
図７及び図８は，本考案の簡易シェードの実際の使用例を示す。使用者は，身長や日光の方向や角度により，例えばフロントガラスやサイドウインドウ上で取付け位置を調整できる。使用時には，片手で吸盤２０を操作するだけで，該吸盤２０を，任意の適切な位置において簡単に脱着することができる。トンネルの中を運転する際や，霧がかかった天候のもとで運転する際には，使用者は吸盤２０とシェード１０のセットを，非常に容易に取外すことができる。さらに，この簡易シェード１０は，光減殺効果と透明な性質とを有する透明なフィルム材料を基に構成され，したがって視界を妨げない。使用者は平面状のフィルム１１を介して明瞭に前方を視認することができる。
【００２３】
本考案を特定の実施形態と共に説明したが，上記の開示に基づいて種々の変形，修正及び変更が可能なことは当業者にとって明らかである。したがって，本考案の範囲及び主旨から逸脱することのない，かような変形，修正及び変更を含むことは明らかである。
【符号の説明】
【００２４】
１０  簡易シェード
１１  平面状のフィルム
１２  吸盤を受容する貫通孔部
１３  予め刻設した線条痕
１４  折曲部
１５  支持縁
２０  吸盤
２１  吸盤本体
２２  柱体
２３  溝
２４  把持部
２５  ステム
３０  ガラスの表面
４０  容器  
４１  開口部
４２  通路
【図１】
0003154773.tif 000003
【図２】
0003154773.tif 000004
【図３】
0003154773.tif 000005
【図４】
0003154773.tif 000006
【図５】
0003154773.tif 000007
【図６】
0003154773.tif 000008
【図７】
0003154773.tif 000009
【図８】
0003154773.tif 000010